(57)【要約】【課題】複数の送信系統を用いるＯＦＤＭ伝送方式において、階層伝送を実現できる送信装置、受信装置、及びチップを提供する。【解決手段】複数の送信系統を用いてＯＦＤＭ変調信号を送信する送信装置において、送信信号の伝送帯域をセグメント構造とし、階層伝送を行い、階層ごとに空間分割多重ＭＩＭＯ伝送方式又は時空間符号化ＭＩＳＯ伝送方式を選択する。また、階層間インターリーブを行い、前記階層間インターリーブは、各階層の伝送方式とそれぞれのセグメントのデータキャリア数に基づいて、キャリア単位インターリーブとセグメント単位インターリーブを選択することを特徴とする。【選択図】図１
2018198426.tif 000002
【特許請求の範囲】
【請求項１】
複数の送信系統を用いてＯＦＤＭ変調信号を送信する送信装置において、送信信号の伝送帯域をセグメント構造とし、階層伝送を行い、階層ごとに空間分割多重ＭＩＭＯ伝送方式又は時空間符号化ＭＩＳＯ伝送方式を選択することを特徴とする送信装置。
【請求項２】
請求項１に記載の送信装置において、少なくともＡ階層とＢ階層を含む階層伝送を行い、Ａ階層とＢ階層の伝送方式を異ならせることを特徴とする、送信装置。
【請求項３】
請求項１又は２に記載の送信装置において、階層伝送のＡ階層を、時空間符号化ＭＩＳＯ伝送方式とすることを特徴とする、送信装置。
【請求項４】
請求項１乃至３のいずれか一項に記載の送信装置において、階層間インターリーブを行い、前記階層間インターリーブは、各階層の伝送方式とそれぞれのセグメントのデータキャリア数に基づいて、キャリア単位インターリーブとセグメント単位インターリーブを選択することを特徴とする、送信装置。
【請求項５】
請求項４に記載の送信装置において、１つの階層がＳＦＢＣ−ＭＩＳＯ伝送方式であり、他の階層が空間分割多重ＭＩＭＯ伝送方式であるとき、セグメント単位インターリーブを行い、階層の伝送方式の組み合わせがそれ以外のとき、それぞれのセグメントのデータキャリア数が同じであるか否かによりキャリア単位インターリーブとセグメント単位インターリーブを選択することを特徴とする、送信装置。
【請求項６】
請求項１乃至５のいずれか一項に記載の送信装置において、
各階層のデータを、当該階層の伝送方式が空間分割多重ＭＩＭＯ伝送方式であるとき複数の系統に分離する系統分離部と、
各系統において各階層のデータを合成する階層合成部と、
各系統のデータを少なくともキャリア周波数方向にインターリーブするインターリーブ部と、
第１の系統から出力された１系キャリアシンボルを時空間符号化するＭＩＳＯ符号化部と、
各階層の伝送方式に基づいて、前記ＭＩＳＯ符号化部の出力と、第２の系統で信号処理されたデータとを選択し、２系キャリアシンボルを出力する選択部と、
前記１系キャリアシンボルに基づいてＯＦＤＭ変調信号を生成するフレームを構成する第１のＯＦＤＭ変調部と、
前記２系キャリアシンボルに基づいてＯＦＤＭ変調信号を生成するフレームを構成する第２のＯＦＤＭ変調部と、
を備えることを特徴とする、送信装置。
【請求項７】
請求項１乃至６のいずれか一項に記載の送信装置において、少なくとも１つの階層がＳＦＢＣ−ＭＩＳＯ伝送方式であるとき、ＳＦＢＣ符号化の際のデータキャリアのペアリングは、（１）帯域の左端（低周波数側）から、ペアを組む、（２）ＳＦＢＣのセグメント同士であれば、調整帯域も含めて、セグメントをまたいでペアを組む、（３）部分受信帯域と非部分受信帯域の境界では、Ａ階層とＢ階層をまたいでペアは組まない、（４）ＳＦＢＣではない隣のセグメントとは、境界をまたいでペアは組まない、（５）境界の隣接部分でペアが組めなくなった余りのキャリアについては、ＳＦＢＣ符号化しない、の規則に従ってペアリングを行うことを特徴とする、送信装置。
【請求項８】
複数の送信系統を用いてＯＦＤＭ変調信号を送信する送信装置に搭載される半導体チップであって、送信信号の伝送帯域をセグメント構造とし、階層伝送を行い、階層ごとに空間分割多重ＭＩＭＯ伝送方式又は時空間符号化ＭＩＳＯ伝送方式が選択された、複数のＯＦＤＭ変調信号を生成することを特徴とする、チップ。
【請求項９】
複数の送信系統を用いて送信されたＯＦＤＭ変調信号を受信する受信装置において、伝送帯域がセグメント構造であって、階層伝送されたＯＦＤＭ変調信号を受信し、階層ごとに空間分割多重ＭＩＭＯ伝送方式の復号処理又は時空間符号化ＭＩＳＯ伝送方式の復号処理を選択することを特徴とする、受信装置。
【請求項１０】
請求項９に記載の受信装置において、
受信したＯＦＤＭ変調信号をＦＦＴ処理するＦＦＴ部と、
前記ＦＦＴ処理された信号に対して、階層ごとに空間分割多重ＭＩＭＯ伝送方式の復号処理又は時空間符号化ＭＩＳＯ伝送方式の復号処理を行う等化・復号部と、
前記等化・復号部から得られたキャリアシンボルを、少なくともキャリア周波数方向にデインターリーブするデインターリーブ部と、
各階層のデータを分離する階層分離部と、
当該階層の伝送方式が空間分割多重ＭＩＭＯ伝送方式であるとき複数の系統のデータを合成する系統合成部と、
を備えることを特徴とする、受信装置。
【請求項１１】
複数の送信系統を用いて送信されたＯＦＤＭ変調信号を受信する受信装置に搭載される半導体チップであって、伝送帯域がセグメント構造であって、階層伝送されたＯＦＤＭ変調信号に対して、階層ごとに空間分割多重ＭＩＭＯ伝送方式の復号処理又は時空間符号化ＭＩＳＯ伝送方式の復号処理を選択することを特徴とする、チップ。
【発明の詳細な説明】
【技術分野】
【０００１】
本発明は、送信装置、受信装置、及びチップに関し、特に、複数のセグメントに分割されたＯＦＤＭ（Orthogonal Frequency Division Multiplexing：直交周波数分割多重）変調信号を用いる送信装置、受信装置、及びチップに関する。
【背景技術】
【０００２】
我が国の現行の地上波テレビ放送では、ＩＳＤＢ−Ｔ（Integrated Services Digital Broadcasting − Terrestrial）方式が用いられている（非特許文献１）。ＩＳＤＢ−Ｔは、１チャンネルの周波数帯域（約６ＭＨｚ）を１４のセグメントに分割しており、このうち１３個のＯＦＤＭセグメントで伝送帯域を構成する地上デジタルテレビジョン放送の放送方式である。
【０００３】
現行の地上波テレビ放送では階層伝送が利用されており、同一チャンネルの中で、画質と雑音耐性の異なる複数のサービスが提供されている。具体的には、伝送帯域の中央にある１セグメントを移動受信端末（モバイル端末）向けの部分受信帯域として、強い雑音耐性を持つ伝送方式により映像を送信するＡ階層の伝送サービス（いわゆる、ワンセグ放送）を提供するとともに、他の１２個のセグメントを非部分受信帯域として、ワンセグ放送と比較すると雑音耐性が弱い伝送方式により固定受信端末（家庭用テレビ等）向けの高画質な映像を送信するＢ階層の伝送サービス（ハイビジョン放送等）に用いている。
【０００４】
また、近年は、ハイビジョン放送の１６倍の解像度を有するスーパーハイビジョン（８Ｋ：7680ピクセル×4320ライン）と呼ばれる高精細映像の実用化が進められており、これに対応した次世代地上放送の伝送方式の検討が進められている。かかる次世代の地上デジタル放送方式では、家庭等に設けられている非部分受信帯域データを受信する固定受信装置に対して、従来のハイビジョン放送に代わり、スーパーハイビジョン放送等の高機能・高品質なサービスを提供することが求められており、また、部分受信帯域データを受信する移動受信装置に対して、ハイビジョン放送級のサービスを提供することが求められている。
【０００５】
次世代地上伝送方式では、伝送容量の増加のために、多様な変調方式や新しい伝送方式の導入が検討されており、送信側・受信側で共に複数のアンテナを利用するＭＩＭＯ（Multi-Input Multi-Output）伝送方式や、送信側が複数のアンテナを使用し、受信側が一つのアンテナを使用するＭＩＳＯ（Multi-Input Single-Output）伝送方式が、精力的に研究されている。
【０００６】
このうち、空間分割多重（Space Division Multiplexing: ＳＤＭ）方式のＭＩＭＯは、送信アンテナ数に応じて複数の情報信号 (ストリーム) を同じ周波数帯域で同時に送信することにより、空間的にストリームを多重化して伝送する方式であり、伝送容量を大幅に増加させること、すなわち、伝送レートを上げることができる。さらに、このＭＩＭＯ伝送方式と、周波数利用効率が高く、周波数選択性フェージングに対する耐性に優れたＯＦＤＭ変調方式とを組み合わせた、空間分割多重ＭＩＭＯ−ＯＦＤＭ方式は、次世代地上伝送方式として期待される方式である。
【０００７】
一方、ＭＩＳＯは、ＳＦＢＣ（Space Frequency Block Coding：空間・周波数ブロック符号化）又はＳＴＢＣ（Space‐time Block Coding：時空間ブロック符号化）といった符号化（両者を合わせて、「時空間符号化」という。）を利用し、受信装置のアンテナが一つでありながら、２つのアンテナから送信されたデータを用いて信頼性の高い受信を可能とする方式であり、ＯＦＤＭ変調方式とを組み合わせて、雑音耐性が極めて高い伝送が可能となる。また、受信側（視聴者側）でアンテナ増設という設備投資を必要とすることないという利点もある。
【０００８】
また、次世代地上伝送方式においては、伝送帯域をＩＳＤＢ−Ｔよりも多数のセグメントで構成し、階層伝送を行うことが検討されている。図１４に、現在のＩＳＤＢ−Ｔと次世代地上伝送方式で想定される１チャンネルの周波数帯域の構造を示す。次世代地上伝送方式においても、伝送帯域の全体は、移動受信装置向けの部分受信帯域と、固定受信装置向けの非部分受信帯域とからなる。
【０００９】
図１４（ａ）の現在のＩＳＤＢ−Ｔでは、１チャンネルが１３セグメントによって構成され、５．５７ＭＨｚの帯域幅を有している。中央の１セグメントを部分受信帯域（「α」で示す。）とし、他の１２セグメントを非部分受信帯域（「β」で示す。）として利用している。
【００１０】
図１４（ｂ）〜（ｄ）は、いずれも次世代地上伝送方式の周波数帯域構造であって、３つのモードが想定されている。図１４（ｂ）の次世代地上伝送方式のノーマルモードでは、１チャンネルが３３セグメントによって構成され、５．５０ＭＨｚの帯域幅を有している。図１４（ｃ）の次世代地上伝送方式の互換モードでは、１チャンネルが３３セグメントと両側の調整帯域によって構成され、現在のＩＳＤＢ−Ｔと同じ５．５７ＭＨｚの帯域幅を有している。また、図１４（ｄ）の次世代地上伝送方式の拡張モードでは、１チャンネルが３５セグメントによって構成され、現状よりも広い５．８３ＭＨｚの帯域幅を有している。
【先行技術文献】
【非特許文献】
【００１１】
【非特許文献１】「地上デジタルテレビジョン放送の伝送方式」標準規格、ＡＲＩＢ  ＳＴＤ−Ｂ３１、一般社団法人電波産業会
【発明の概要】
【発明が解決しようとする課題】
【００１２】
これまで、複数の送信アンテナを用いるＭＩＭＯやＭＩＳＯの伝送方式の検討はなされているが、次世代地上波放送に適した複数の送信アンテナ（送信系統）を用いるＯＦＤＭ伝送方式において、どのように階層伝送を実現するかは、十分な検討がなされていない。また、次世代地上伝送方式で想定されているセグメント構造を、階層伝送においてどのように利用するかについても、十分な検討が行われていない。
【００１３】
従って、上記のような問題点に鑑みてなされた本発明の目的は、複数の送信系統（アンテナ）を用いるＯＦＤＭ伝送方式において、階層伝送を実現し、階層毎に適切な伝送品質を確保することができる送信装置、受信装置、及びチップを提供することにある。
【課題を解決するための手段】
【００１４】
上記課題を解決するために本発明に係る送信装置は、複数の送信系統を用いてＯＦＤＭ変調信号を送信する送信装置において、送信信号の伝送帯域をセグメント構造とし、階層伝送を行い、階層ごとに空間分割多重ＭＩＭＯ伝送方式又は時空間符号化ＭＩＳＯ伝送方式を選択することを特徴とする。
【００１５】
また、前記送信装置は、少なくともＡ階層とＢ階層を含む階層伝送を行い、Ａ階層とＢ階層の伝送方式を異ならせることが望ましい。
【００１６】
また、前記送信装置は、階層伝送のＡ階層を、時空間符号化ＭＩＳＯ伝送方式とすることが望ましい。
【００１７】
また、前記送信装置は、階層間インターリーブを行い、前記階層間インターリーブは、各階層の伝送方式とそれぞれのセグメントのデータキャリア数に基づいて、キャリア単位インターリーブとセグメント単位インターリーブを選択することが望ましい。
【００１８】
また、前記送信装置は、１つの階層がＳＦＢＣ−ＭＩＳＯ伝送方式であり、他の階層が空間分割多重ＭＩＭＯ伝送方式であるとき、セグメント単位インターリーブを行い、階層の伝送方式の組み合わせがそれ以外のとき、それぞれのセグメントのデータキャリア数が同じであるか否かによりキャリア単位インターリーブとセグメント単位インターリーブを選択することが望ましい。
【００１９】
また、前記送信装置は、各階層のデータを、当該階層の伝送方式が空間分割多重ＭＩＭＯ伝送方式であるとき複数の系統に分離する系統分離部と、各系統において各階層のデータを合成する階層合成部と、各系統のデータを少なくともキャリア周波数方向にインターリーブするインターリーブ部と、第１の系統から出力された１系キャリアシンボルを時空間符号化するＭＩＳＯ符号化部と、各階層の伝送方式に基づいて、前記ＭＩＳＯ符号化部の出力と、第２の系統で信号処理されたデータとを選択し、２系キャリアシンボルを出力する選択部と、前記１系キャリアシンボルに基づいてＯＦＤＭ変調信号を生成するフレームを構成する第１のＯＦＤＭ変調部と、前記２系キャリアシンボルに基づいてＯＦＤＭ変調信号を生成するフレームを構成する第２のＯＦＤＭ変調部と、を備えることが望ましい。
【００２０】
また、前記送信装置は、少なくとも１つの階層がＳＦＢＣ−ＭＩＳＯ伝送方式であるとき、ＳＦＢＣ符号化の際のデータキャリアのペアリングは、（１）帯域の左端（低周波数側）から、ペアを組む、（２）ＳＦＢＣのセグメント同士であれば、調整帯域も含めて、セグメントをまたいでペアを組む、（３）部分受信帯域と非部分受信帯域の境界では、Ａ階層とＢ階層をまたいでペアは組まない、（４）ＳＦＢＣではない隣のセグメントとは、境界をまたいでペアは組まない、（５）境界の隣接部分でペアが組めなくなった余りのキャリアについては、ＳＦＢＣ符号化しない、の規則に従ってペアリングを行うことが望ましい。
【００２１】
上記課題を解決するために本発明に係るチップは、複数の送信系統を用いてＯＦＤＭ変調信号を送信する送信装置に搭載される半導体チップであって、送信信号の伝送帯域をセグメント構造とし、階層伝送を行い、階層ごとに空間分割多重ＭＩＭＯ伝送方式又は時空間符号化ＭＩＳＯ伝送方式が選択された、複数のＯＦＤＭ変調信号を生成することを特徴とする。
【００２２】
また、上記課題を解決するために本発明に係る受信装置は、複数の送信系統を用いて送信されたＯＦＤＭ変調信号を受信する受信装置において、伝送帯域がセグメント構造であって、階層伝送されたＯＦＤＭ変調信号を受信し、階層ごとに空間分割多重ＭＩＭＯ伝送方式の復号処理又は時空間符号化ＭＩＳＯ伝送方式の復号処理を選択することを特徴とする。
【００２３】
また、前記受信装置は、受信したＯＦＤＭ変調信号をＦＦＴ処理するＦＦＴ部と、前記ＦＦＴ処理された信号に対して、階層ごとに空間分割多重ＭＩＭＯ伝送方式の復号処理又は時空間符号化ＭＩＳＯ伝送方式の復号処理を行う等化・復号部と、前記等化・復号部から得られたキャリアシンボルを、少なくともキャリア周波数方向にデインターリーブするデインターリーブ部と、各階層のデータを分離する階層分離部と、当該階層の伝送方式が空間分割多重ＭＩＭＯ伝送方式であるとき複数の系統のデータを合成する系統合成部と、を備えることが望ましい。
【００２４】
また、上記課題を解決するために本発明に係るチップは、複数の送信系統を用いて送信されたＯＦＤＭ変調信号を受信する受信装置に搭載される半導体チップであって、伝送帯域がセグメント構造であって、階層伝送されたＯＦＤＭ変調信号に対して、階層ごとに空間分割多重ＭＩＭＯ伝送方式の復号処理又は時空間符号化ＭＩＳＯ伝送方式の復号処理を選択することを特徴とする。
【発明の効果】
【００２５】
本発明における送信装置、受信装置、及びチップによれば、複数の送信系統を用いるＯＦＤＭ伝送方式において、階層伝送を実現することができる。
【００２６】
また、本発明における送信装置、受信装置、及びチップによれば、異なる受信環境を想定した階層ごとに伝送方式（空間分割多重ＭＩＭＯあるいは時空間符号化ＭＩＳＯ）を使い分けることができ、階層毎に適切な伝送品質を確保することができる。
【図面の簡単な説明】
【００２７】
【図１】実施の形態１の送信装置の変調器の構成例を示すブロック図である。
【図２】実施の形態１の変調器の周波数インターリーブ部の構成例を示すブロック図である。
【図３】実施の形態１の階層間インターリーブ部の構成例を示すブロック図である。
【図４】セグメント単位インターリーブとキャリア単位インターリーブとを説明する図である。
【図５】伝送方式の組み合わせと階層間インターリーブの関係を示す図である。
【図６】実施の形態２の受信装置の復調器の構成例を示すブロック図である。
【図７】実施の形態２の復調器の周波数デインターリーブ部の構成例を示すブロック図である。
【図８】ＳＦＢＣにおけるキャリアのペアリングの例を説明する図である。
【図９】ＳＦＢＣにおけるキャリアのペアリングの例を説明する図である。
【図１０】ＳＦＢＣにおけるキャリアのペアリングの例を説明する図である。
【図１１】ＳＦＢＣにおけるキャリアのペアリングの例を説明する図である。
【図１２】ＳＦＢＣにおけるキャリアのペアリングの例を説明する図である。
【図１３】ＳＦＢＣにおけるキャリアのペアリングの例を説明する図である。
【図１４】現在のＩＳＤＢ−Ｔと次世代地上伝送方式で想定される１チャンネルの周波数帯域の構造を示す図である。
【発明を実施するための形態】
【００２８】
以下、本発明の実施の形態について説明する。
【００２９】
（実施の形態１）
図１は本発明の実施の形態１に係る送信装置の変調器の構成例を示すブロック図である。図１の送信装置１００の変調器のブロック図は、データ入力インターフェースからＩＦ信号出力までを示している。本発明の送信装置は、階層ごとにＭＩＭＯ方式とＭＩＳＯ方式を切り替え可能となっており、両方の伝送方式のデータが多重されたＯＦＤＭ変調信号の送信が可能となっている。
【００３０】
送信装置１００の変調器は、入力Ｉ／Ｆ（interface：インターフェース）１０と、ビットＩＬ（Interleave）部１１と、フレームヘッダ生成部１２と、マッピング部１３と、レベル調整部１４と、系統分離部１５と、階層合成部１６と、帯域分割部１７と、時間ＩＬ部１８と、周波数ＩＬ部１９と、帯域合成部２０と、ＭＩＳＯ符号化部２１と、ＴＭＣＣ（Transmission and Multiplexing Configuration Control）情報ビット生成部２２と、同期ビット生成部２３と、ＴＭＣＣ生成部２４と、パイロット生成部２５と、ＯＦＤＭフレーム構成部２６と、ＩＦＦＴ（Inverse Fast Fourier Transform）部２７と、ＧＩ（Guard interval）付加部２８と、直交変調部２９と、ＤＡＣ（digital to analog converter）部３０とを含む。変調器の出力であるＩＦ（Intermediate Frequency）信号出力１とＩＦ信号出力２は、所定の変調処理を行った後、それぞれ異なる送信系統（アンテナ）から出力される。
【００３１】
入力Ｉ／Ｆ（interface：インターフェース）１０は、伝送すべきデータが入力されるインターフェースであって、画像信号となるデータや、伝送方式に関する制御データ等の各種データが入力される。例えば、画像信号となるデータは、必要に応じて、Ａ階層、Ｂ階層、Ｃ階層の３階層に分けて、それぞれの階層の処理系統に出力される。また、制御データは、例えば、ＴＭＣＣ情報やＬｃｈデータとして出力される。
【００３２】
ビットＩＬ（Interleave：インターリーブ）部１１（１１ａ，１１ｂ，１１ｃ）は、Ａ階層、Ｂ階層、Ｃ階層それぞれのデータ列をビット単位でインターリーブを行う。ビット単位のインターリーブとしては、例えば、ビット列を所定の単位でブロック化し、各ブロック内のビット順を変えるビットローテーション等がある。ビット単位インターリーブを行ったデータ列は、マッピング部１３に出力される。
【００３３】
フレームヘッダ生成部１２は、各データ列のフレームヘッダ情報とＦＥＣ（forward error correction）ポインタ等に基づいて、各階層データのフレームヘッダを生成し、各データ列に挿入する。フレームヘッダが挿入されたデータ列は、マッピング部１３に送られる。
【００３４】
マッピング部１３（１３ａ，１３ｂ，１３ｃ）は、各階層データの変調方式に基づいて、データを所定のビット数ごとにＩ−Ｑ平面にマッピングし、キャリヤ変調を行う。すなわち、データをキャリアシンボルに変換する。生成されたキャリアシンボルはレベル調整部１４に出力される。
【００３５】
レベル調整部１４（１４ａ，１４ｂ，１４ｃ）は、階層毎にキャリアシンボルのレベル調整を行う。調整されたキャリアシンボルは、系統分離部１５に出力される。
【００３６】
系統分離部１５（１５ａ，１５ｂ，１５ｃ）は、デマルチプレクサであり、入力されたキャリアシンボルを複数の系統（ここでは２系統）に分離する。この系統分離部１５は、当該階層の伝送方式が、空間分割多重ＭＩＭＯ伝送方式であるときにのみ動作する。分離された各階層のキャリアシンボルは、一方が第１の系統（以下、単に「１系」という。）の階層合成部１６1に、他方が第２の系統（以下、単に「２系」という。）の階層合成部１６2に、出力される。当該階層の伝送方式がＭＩＳＯ方式のときは、系統分離部１５は全てのキャリアシンボルを１系の階層合成部１６1に出力する。なお、ＭＩＭＯ伝送方式を３系統以上の送信系統で行う場合は、送信系統数に対応して、データを分離する。
【００３７】
階層合成部１６（１６1，１６2）は、系統分離部１５ａ，１５ｂ，１５ｃから、それぞれ入力されたＡ階層、Ｂ階層、Ｃ階層のキャリアシンボルを階層合成する。階層合成されたキャリアシンボルは、それぞれの系統毎に、帯域分割部１７に出力される。
【００３８】
帯域分割部１７（１７1，１７2）は、階層合成されたキャリアシンボルを各帯域に分割する。例えば、Ｃ階層データの一部を、必要に応じて、調整帯域に分割する。帯域分割されたキャリアシンボルは、時間ＩＬ部１８に出力される。
【００３９】
時間ＩＬ（インターリーブ）部１８（１８1，１８2）は、帯域分割されたキャリアシンボルに対して、時間方向（すなわち、各キャリアにおいてシンボルの並び順方向）のインターリーブを行う。時間インターリーブしたキャリアシンボルは、周波数ＩＬ部１９に出力される。
【００４０】
周波数ＩＬ（インターリーブ）部１９（１９1，１９2）は、キャリア周波数方向のインターリーブを行う。なお、この周波数インターリーブ部１９（１９1，１９2）の構成の詳細は後述する。周波数インターリーブしたキャリアシンボルは、帯域合成部２０に出力される。
【００４１】
帯域合成部２０（２０1，２０2）は、周波数インターリーブした部分受信帯域、非部分受信帯域、及び、調整帯域のキャリアシンボルを合成し、データセグメントを構成する。空間分割多重ＭＩＭＯ方式が採用されるときは、１系の帯域合成部２０1からは１系キャリアシンボルｘ１が出力され、２系の帯域合成部２０2からは１系と異なる２系キャリアシンボルｘ２が出力される。
【００４２】
ＭＩＳＯ符号化部２１は、１系キャリアシンボルｘ１のデータに対して時空間符号化（ＳＴＢＣ符号化又はＳＦＢＣ符号化）を行い、２系キャリアシンボルｘ２を生成する。なお、ＳＴＢＣ符号化（以下、単に「ＳＴＢＣ」ということがある。）では、時間方向に２つのデータシンボルを組みとして、データキャリアシンボルの複素共役・符号反転を行う。また、ＳＦＢＣ符号化（以下、単に「ＳＦＢＣ」ということがある。）では、周波数方向に２つのデータシンボルを組みとして、データキャリアシンボルの複素共役・符号反転を行う。
【００４３】
各階層又は各セグメントの伝送方式に基づいて、スイッチ（選択部）でデータを選択し、２系キャリアシンボルｘ２とする。ＭＩＭＯ方式の場合は、２系の帯域合成部２０2からの出力が２系キャリアシンボルｘ２として出力され、また、ＭＩＳＯ方式の場合は、ＭＩＳＯ符号化部２１からの出力が２系キャリアシンボルｘ２として出力される。この切り替えは、系統分離部１５の処理と連動する。これらのキャリアシンボルｘ１，ｘ２は、ＯＦＤＭフレーム構成部２６に出力される。
【００４４】
ＴＭＣＣ情報ビット生成部２２は、入力Ｉ／Ｆ１０からＴＭＣＣ情報（各種制御情報）を受けて、ＴＭＣＣの情報ビットを生成し、ＴＭＣＣ生成部２４に出力する。
【００４５】
同期ビット生成部２３は、ＴＭＣＣの一部となる同期ビットを生成し、ＴＭＣＣ生成部２４に出力する。
【００４６】
ＴＭＣＣ生成部２４は、ＴＭＣＣ情報ビット生成部２２からのＴＭＣＣ情報ビットと、同期ビット生成部２３からの同期ビットと、ＦＥＣポインタの情報とが入力され、ＴＭＣＣを生成する。生成されたＴＭＣＣは、ＯＦＤＭフレーム構成部２６へ出力される。
【００４７】
パイロット生成部２５は、ＯＦＤＭフレームに組み込むパイロット信号（ＳＰ（Scattered Pilot）信号、ＣＰ（Continual Pilot）信号等）を生成する。生成されたパイロット信号は、ＯＦＤＭフレーム構成部２６に出力される。
【００４８】
ＯＦＤＭフレーム構成部２６（２６1，２６2）は、入力されたキャリアシンボル（データセグメント）に、ＴＭＣＣと、パイロット信号と、Ｌｃｈ信号とを付加して、ＯＦＤＭフレームを構成する。１系のＯＦＤＭフレーム構成部２６1は、１系キャリアシンボルｘ１に基づいて１系のＯＦＤＭフレームを生成し、２系のＯＦＤＭフレーム構成部２６2は、２系キャリアシンボルｘ２に基づいて２系のＯＦＤＭフレームを生成する。生成されたＯＦＤＭフレームは、それぞれＩＦＦＴ部２７に出力される。
【００４９】
ＩＦＦＴ部２７（２７1，２７2）は、入力されたＯＦＤＭフレームをＩＦＦＴ（逆高速フーリエ変換）処理して有効シンボル信号を生成する。生成された有効シンボル信号は、ＧＩ付加部２８に出力される。
【００５０】
ＧＩ付加部２８（２８1，２８2）は、ＩＦＦＴ部２７から入力された有効シンボル信号の先頭に、有効シンボル信号の末尾の一部分をコピーした信号であるガードインターバルを付加する。なお、ガードインターバルは、マルチパス遅延波の遅延時間がガードインターバル長を超えないように設定される。ガードインターバルが付加された信号は、直交変調部２９に出力される。なお、本発明では、ＯＦＤＭフレーム構成部２６と、ＩＦＦＴ部２７と、ＧＩ付加部２８を合わせて、「ＯＦＤＭ変調部」と呼ぶことがある。
【００５１】
直交変調部２９（２９1，２９2）は、入力されたＯＦＤＭシンボル信号を直交変調し、ＤＡＣ部３０に出力する。
【００５２】
ＤＡＣ部３０（３０1，３０2）は、直交変調されたＯＦＤＭシンボル信号を、デジタル／アナログ変換処理し、ＩＦ信号出力とする。１系のＤＡＣ部３０1からはＩＦ信号出力１が出力され、２系のＤＡＣ部３０2からはＩＦ信号出力２が出力される。
【００５３】
ＩＦ信号出力１，２は、所定の変調処理を行った後、それぞれ異なるアンテナ（送信系統）から出力される。
【００５４】
このように、実施の形態１の送信装置１００の変調器が構成される。本発明の送信装置１００によれば、時空間符号化ＭＩＳＯ方式と空間分割多重ＭＩＭＯ方式とを切り替えることができ、階層毎に、或いはセグメント毎に、伝送方式を設定することができる。
【００５５】
図２は、変調器の周波数インターリーブ部１９の構成例を示すブロック図であり、図１の変調器の一つの系統の帯域分割部１７から帯域合成部２０までを示している。なお、各ブロックの内部構成は一例にすぎない。
【００５６】
帯域分割部１７は、階層合成部１６からの入力を階層分離部で一度Ａ，Ｂ，Ｃの各階層に分離し、このうち最下位階層であるＣ階層のデータを帯域分離部に入力し、その一部を調整帯域のデータとして分離する。なお、調整帯域とは、互換モードのセグメント構造（図１４（ｃ））において、３３セグメントの外側の周波数帯域に設定される帯域である。各階層の信号は時間インターリーブ部１８に入力される。
【００５７】
時間インターリーブ部１８は、各階層及び調整帯域の信号（キャリアシンボル）に対し、それぞれ時間ＩＬ部１８ａ〜１８ｄにおいて、時間方向（すなわち、各キャリアにおいてシンボルの並び順方向）のインターリーブを行う。時間インターリーブを行ったＡ，Ｂ，Ｃ階層のデータを階層内セグメント間インターリーブ部３１に出力する。時間インターリーブを行った調整帯域のデータは、周波数インターリーブを行うことなく帯域合成部２０に出力される。
【００５８】
図１の周波数インターリーブ部１９は、階層内セグメント間インターリーブ部３１と、部分受信帯域分離部３２と、階層間ＩＬ（インターリーブ）部３３，３４と、セグメント内ＩＬ（インターリーブ）部３５，３６と、を備えている。
【００５９】
階層内セグメント間インターリーブ部３１は、それぞれの階層の周波数インターリーブを行うセグ間ＩＬ（インターリーブ）部３１ａ，３１ｂ，３１ｃからなり、各セグ間ＩＬ部は、それぞれの階層データを構成する全てのセグメントにおいて（全てのセグメントをまたいで）キャリア単位で周波数インターリーブを施すように構成されている。セグメント間周波数インターリーブが行われた各階層データは、部分受信帯域分離部３２に出力される。
【００６０】
部分受信帯域分離部３２は、各階層データから、部分受信帯域データと非部分受信帯域データを生成する。例えば、全体３３セグメントのうち９セグメントを部分受信帯域とするとき、９個のセグメントにまずＡ階層データを割り当てた後、空きがある場合は、Ｂ階層データを割り当てることによって部分受信帯域データを生成し、他の２４セグメントの非部分受信帯域には、残りのＢ階層データ及びＣ階層データを割り当てることによって、非部分受信帯域データを生成する。部分受信帯域データは、階層間ＩＬ（インターリーブ）部３３に出力され、非部分受信帯域データは、階層間ＩＬ（インターリーブ）部３４に出力される。
【００６１】
階層間ＩＬ（インターリーブ）部３３は、Ａ階層データとＢ階層データの伝送方式やＳＰ（Scattered Pilot）配置により、部分受信帯域データを構成するセグメント単位で周波数インターリーブを施すか、或いは、部分受信帯域データを構成する全てのセグメントをまたいでデータキャリア単位で周波数インターリーブを施す。階層間インターリーブ部３３の処理の詳細については後述する。インターリーブされた部分受信帯域データは、セグ内ＩＬ部３５に出力される。
【００６２】
階層間ＩＬ（インターリーブ）部３４は、非部分受信帯域データを構成する全てのセグメントをまたいでデータキャリア単位で周波数インターリーブを施す。インターリーブされた非部分受信帯域データは、セグ内ＩＬ部３６に出力される。
【００６３】
セグ内ＩＬ（セグメント内インターリーブ）部３５は、階層間ＩＬ（インターリーブ）部３３で周波数インターリーブされた部分受信帯域データに対して、各セグメント内で周波数インターリーブを行う。このセグメント内インターリーブとしては、例えば、キャリアローテーションやキャリアランダマイズが施される。セグメント内インターリーブされたデータは帯域合成部２０に出力される。
【００６４】
セグ内ＩＬ（セグメント内インターリーブ）部３６は、階層間ＩＬ（インターリーブ）部３４で周波数インターリーブされた非部分受信帯域データに対して、各セグメント内で周波数インターリーブを行う。このセグメント内インターリーブとしては、例えば、キャリアローテーションやキャリアランダマイズが施される。セグメント内インターリーブされたデータは帯域合成部２０に出力される。
【００６５】
この後、帯域合成部２０は、周波数インターリーブした部分受信帯域、非部分受信帯域、及び、調整帯域のキャリアシンボルを合成し、データセグメントを再構成し、１つの系統のキャリアシンボルとして出力する。
【００６６】
部分受信帯域データの階層間インターリーブについて、補足的に説明する。図３は、階層間ＩＬ（インターリーブ）部３３の構成例を示すブロック図であり、内部には、階層間セグメント単位インターリーブ部３３１と、階層間キャリア単位インターリーブ部３３２と、そのいずれかを選択する切り替え部がある。例えば、部分受信帯域データを構成するＡ階層データとＢ階層データのＳＰ配置が異なっているとき、階層間セグメント単位インターリーブ部３３１が選択され、Ａ階層データとＢ階層データの伝送方式もＳＰ配置も一致しているときは、階層間キャリア単位インターリーブ部３３２が選択される。
【００６７】
図４は、セグメント単位インターリーブとキャリア単位インターリーブとを説明する図である。ここでは、部分受信帯域データが、Ａ階層の５個のセグメント０〜４と、Ｂ階層の４個のセグメント５〜８より構成されている場合を例とする。
【００６８】
図４（ａ）は、Ａ階層データとＢ階層データのＳＰ配置が異なっている（すなわち、セグメント当たりのデータキャリア数が異なっている）例であり、階層間セグメント単位インターリーブ部３３１が選択されて、セグメントを単位としたインターリーブが行われる。セグメントの配列は変更されるが、各セグメント内のキャリア配列は変わらない。
【００６９】
図４（ｂ）は、Ａ階層データとＢ階層データの伝送方式とＳＰ配置（すなわち、セグメント当たりのデータキャリア数）が同じ例であり、階層間キャリア単位インターリーブ部３３２が選択されて、データキャリアを単位としたインターリーブが行われる。部分受信帯域内の９個のセグメント全体でデータキャリア配列が変更されるため、各セグメントの内容も変わることとなる。
【００７０】
図５は、伝送方式の組み合わせと階層間インターリーブの関係を示す図であり、どのような条件のときに、セグメント単位インターリーブとキャリア単位インターリーブが選択されるかを説明する図である。
【００７１】
ＳＰ配置の同／異は、各セグメントに含まれるデータキャリア数が同じか否かを意味する。なぜなら、セグメントを構成する総キャリア数は、全てのセグメントで同じであって（例えば、ＦＦＴサイズ１６３８４で、キャリア総数４３２）、総キャリア数は、データキャリアとＴＭＣＣとパイロット信号（ＳＰ信号）とＬｃｈ信号からなり、ＴＭＣＣとＬｃｈは各セグメントで同じであるから、パイロット信号（ＳＰ信号）が幾つ入るかにより、データキャリア数が定まる。ＳＰ配置が同じであれば、データキャリア数が同じであるから、原則的にキャリア単位のインターリーブが可能である。
【００７２】
ＳＩＳＯ／ＭＩＭＯフラグとは、ＴＭＣＣに含まれる情報の１つであり、各階層の伝送方式を識別するフラグである。Ｘ階層とＹ階層は、Ａ階層とＢ階層の組み合わせを示しており、一方がＡ階層のとき他方がＢ階層を示す。Ｘ階層がＡ階層であっても、Ｂ階層であっても良い。なお、ＳＴＢＣとＳＦＢＣは、同じ時空間符号化ＭＩＳＯ方式であるが、２系の信号を生成する際のデータキャリアシンボルの組み方が異なるため、同時に混在させるのは好ましくない。（ＳＴＢＣとＳＦＢＣの組み合わせは除かれている。）
【００７３】
図５から明らかなように、２つの階層の伝送方式において、ＳＰ配置が異なるとき（セグメント当たりのデータキャリア数が異なるとき）、階層間インターリーブはセグメント単位で行う。また、２つの階層の伝送方式において、ＳＰ配置が同じとき（セグメント当たりのデータキャリア数が同じとき）は、原則的にはキャリア単位で階層間インターリーブを行うが、伝送方式がＳＦＢＣとＳＤＭの組み合わせの場合は、例外的にセグメント単位で階層間インターリーブを行う。これにより、１つのセグメント内でＳＦＢＣキャリアとＳＤＭキャリアが混在しないようにする。これは、ＳＦＢＣのペアリングを最大限に行うためである。（ＳＤＭとＳＦＢＣをキャリア単位でインターリーブをすると、ＳＦＢＣのキャリアがＳＤＭのキャリアと隣接する場合が増加し、十分にキャリアのペアが組めないため。）
【００７４】
したがって、ＳＩＳＯ／ＭＩＭＯフラグが、一方がＳＦＢＣで他方がＳＤＭであった場合は、ＳＰ配置が同一であっても、図３の階層間インターリーブの際は、階層間セグメント単位インターリーブ部３３１が選択され、図４（ａ）のように、セグメント単位のインターリーブが行われる。
【００７５】
また、ＳＩＳＯ／ＭＩＭＯフラグが、それ以外の伝送方式の組み合わせであるとき（例えば、一方がＳＴＢＣで他方がＳＤＭであった場合）は、ＳＰ配置が同一であるか否か（それぞれのセグメントのデータキャリア数が同じであるか否か）により、図３の階層間インターリーブの際、階層間キャリア単位インターリーブ部３３２が選択され、図４（ｂ）のように、キャリア単位のインターリーブが行われるか、又は、階層間セグメント単位インターリーブ部３３１が選択され、図４（ａ）のように、セグメント単位のインターリーブが行われるかが、分けられる。
【００７６】
このように、階層毎に伝送方式を選択することができ、条件に応じて周波数インターリーブの方法を変えることができる。すなわち、異なる受信環境を想定した階層毎に伝送方式を使い分けることができ、例えば、Ａ階層として雑音耐性の高い時空間符号化ＭＩＳＯ伝送方式を用いることや、Ｂ階層として伝送レートの高い空間分割多重ＭＩＭＯ伝送方式を用いることができる。
【００７７】
また、後述のＳＦＢＣにおけるキャリアのペアリングの例で説明するが、上述の階層間インターリーブを採用することにより、ＳＦＢＣのペアリングできるキャリア数の増大と、周波数インターリーブを効果的に行うこととのバランスをとることができ、両者の効果を共に高めることができる。
【００７８】
（実施の形態２）
図６は本発明の実施の形態２に係る受信装置の復調器の構成例を示すブロック図である。図６の受信装置２００の復調器のブロック図は、ＩＦ信号入力から、各階層データの出力までを示している。本発明の受信装置は、ＭＩＭＯ方式にもＭＩＳＯ方式にも対応可能となっており、両方の伝送方式のデータが多重されたＯＦＤＭ変調信号の受信に対応が可能となっている。
【００７９】
受信装置２００の復調器は、ＡＤＣ（analog to digital converter）部４１と、直交復調部４２と、ＧＩ除去部４３と、ＦＦＴ（Fast Fourier Transform）部４４と、等化・復号部４５と、帯域分離部４６と、周波数デインターリーブ部４７と、時間デインターリーブ部４８と、帯域合成部４９と、階層分離部５０と、系統合成部５１と、レベル調整部５２と、デマッピング部５３と、ビットデインターリーブ部５４とを含む。出力された各階層データは、その後誤り訂正等の所定の処理を行った後、例えば、画像データとして復号される。ＭＩＭＯ方式のときは、２つのアンテナからＩＦ信号入力１：ｙ１と、ＩＦ信号入力２：ｙ２が入力され、ＭＩＳＯ方式のときは、原則として１つのアンテナからＩＦ信号入力１：ｙ１のみが入力される。なお、ＭＩＳＯ方式（ＳＦＢＣ，ＳＴＢＣ）において、２つのアンテナを使用し、その後の復調処理を容易にしてもよい。
【００８０】
ＡＤＣ部４１（４１1，４１2）は、各アンテナで受信した信号を周波数コンバータ（図示せず）で変換したＩＦ信号入力１：ｙ１と、ＩＦ信号入力２：ｙ２が、それぞれ入力され、アナログ／デジタル変換処理を行う。デジタル化された信号は、直交復調部４２に出力される。
【００８１】
直交復調部４２（４２1，４２2）は、デジタル化された入力信号に対して直交復調を行い、シンボル信号に相当する所定のベースバンド信号とした後、ＧＩ除去部４３に出力する。
【００８２】
ＧＩ除去部４３（４３1，４３2）は、直交復調された受信信号から、ガードインターバル（ＧＩ）を除去し、有効シンボル長の信号としてＦＦＴ部４４に出力する。
【００８３】
ＦＦＴ部４４（４４1，４４2）は、ガードインターバルが除去された信号に対して、ＦＦＴ（高速フーリエ変換）処理を行い、処理後の２つの信号を共に等化・復号部４５に出力する。
【００８４】
等化・復号部４５は、ＦＦＴ処理された入力信号から、送信された元のキャリアシンボルを推定する。ＭＩＭＯ伝送では、複数の受信側のアンテナには、それぞれ複数の送信側アンテナからの信号が混合して受信されるため、数学的処理を行い、各送信アンテナから送信された元のキャリアシンボルを分離する。この数学的処理には様々な手法があるが、例えば、ＺＦ（Zero forcing）法やＭＬＤ（Maximum likelihood Detection：最尤検波）法等の処理が用いられる。この復号処理の結果、１系のキャリアシンボルと、２系のキャリアシンボルが分離されて出力される。１系のキャリアシンボルは１系の帯域分離部４６1に出力し、２系のキャリアシンボルは２系の帯域分離部４６2に出力する。また、ＭＩＳＯ伝送では、２つのデータキャリアシンボル（本来のデータと複素共役・符号反転したデータ）の組み合わせから、ＳＦＢＣ復号処理又はＳＴＢＣ復号処理を行い、１系のキャリアシンボルを導出することができる。等化・復号部４５は、各階層によって（各伝送方式に対応して）、復号処理を切り替えることができる。
【００８５】
帯域分離部４６（４６1，４６2）は、それぞれ入力されたキャリアシンボル（データセグメント）を、部分受信帯域、非部分受信帯域、及び、調整帯域のキャリアシンボルに分離する。分離された各帯域のキャリアシンボルは、周波数デインターリーブ部４７に出力する。
【００８６】
周波数デインターリーブ部４７（４７1，４７2）は、各帯域のキャリアシンボルに対して、キャリア周波数方向のデインターリーブを行う。なお、この周波数デインターリーブ部４７（４７1，４７2）の構成の詳細は後述する。周波数デインターリーブしたキャリアシンボルは、時間デインターリーブ部４８に出力される。
【００８７】
時間デインターリーブ部４８（４８1，４８2）は、周波数デインターリーブしたキャリアシンボルに対して、時間方向（すなわち、各キャリアにおいてシンボルの並び順方向）のデインターリーブを行い、送信側でインターリーブを行う前の元の配列に戻す。ここでの時間デインターリーブは、送信側で行った時間インターリーブの反対の処理であれば良い。時間デインターリーブしたキャリアシンボルは、帯域合成部４９に出力する。
【００８８】
帯域合成部４９（４９1，４９2）は、部分受信帯域、非部分受信帯域、及び、調整帯域に分かれて処理されたデータを合成し、合成されたデータを階層分離部５０に出力する。
【００８９】
階層分離部５０（５０1，５０2）は、帯域合成されたデータを、Ａ階層、Ｂ階層、Ｃ階層のキャリアシンボル毎に階層分離し、Ａ階層キャリアシンボルは系統合成部５１ａに、Ｂ階層キャリアシンボルは系統合成部５１ｂに、Ｃ階層キャリアシンボルは系統合成部５１ｃにそれぞれ出力する。
【００９０】
系統合成部５１（５１ａ，５１ｂ，５１ｃ）は、マルチプレクサであり、分かれて処理されていた１系と２系のキャリアシンボルデータを合成する。なお、この合成処理は、空間分割多重ＭＩＭＯ方式のデータに対して行われる。合成された各階層のキャリアシンボルは、レベル調整部５２に出力する。
【００９１】
レベル調整部５２（５２ａ，５２ｂ，５２ｃ）は、合成されて元の一体となったキャリアシンボルを、階層毎にレベル調整する。レベル調整したキャリアシンボルは、デマッピング部５３に出力する。
【００９２】
デマッピング部５３（５３ａ，５３ｂ，５３ｃ）は、レベル調整したキャリアシンボルのＩ信号値とＱ信号値から元のビット単位のデータに復調する。各階層のビット単位のデータはビットデインターリーブ部５４に出力する。
【００９３】
ビットインターリーブ部５４（５４ａ，５４ｂ，５４ｃ）は、デマッピングされてビット単位となったデータに対して、ビット単位のデインターリーブを行い、元のビット列を復元する。ここでのビットデインターリーブは、送信側で行ったビットインターリーブの反対の処理であれば良い。ビットデインターリーブが行われたデータ列は、各階層の送信データに相当する。
【００９４】
出力された各階層データは、その後誤り訂正等の所定の処理を行った後、例えば、画像データとして復号される。
【００９５】
このように、実施の形態２の受信装置２００の復調器が構成される。本発明の受信装置２００によれば、時空間符号化ＭＩＳＯ方式の信号と空間分割多重ＭＩＭＯ方式の信号とを復号することができ、階層毎に、或いはセグメント毎に、伝送方式が設定されたＯＦＤＭ変調信号を受信することができる。
【００９６】
図７は、復調器の周波数デインターリーブ部４７の構成例を示すブロック図であり、図６の復調器の一つの系統の帯域分離部４６から帯域合成部４９までを示している。なお、各ブロックの内部構成は一例にすぎない。
【００９７】
図７の周波数デインターリーブ部４７は、セグ内（セグメント内）デインターリーブ部６１，６２と、階層間デインターリーブ部６３，６４と、部分受信帯域合成部６５と、階層内セグメント間デインターリーブ部６６と、を備えている。
【００９８】
帯域分離部４６は、入力されたキャリアシンボル（データセグメント）を、部分受信帯域、非部分受信帯域、及び、調整帯域のキャリアシンボルに分離する。分離された部分受信帯域データと、非部分受信帯域データは、セグ内デインターリーブ部６１，６２に出力する。また、調整帯域データは、時間デインターリーブ部４８ｄに出力する。
【００９９】
セグ内デインターリーブ部６１は、帯域分離部４６から入力された部分受信帯域データに対して、各セグメント内で周波数デインターリーブを行う。このセグメント内デインターリーブは、送信側でのセグ内ＩＬ部３５でのインターリーブの逆変換処理となる。セグメント内デインターリーブされたデータは階層間デインターリーブ部６３に出力される。
【０１００】
セグ内デインターリーブ部６２は、帯域分離部４６から入力された非部分受信帯域データに対して、各セグメント内で周波数デインターリーブを行う。このセグメント内デインターリーブは、送信側でのセグ内ＩＬ部３６でのインターリーブの逆変換処理となる。セグメント内デインターリーブされたデータは階層間デインターリーブ部６４に出力される。
【０１０１】
階層間デインターリーブ部６３は、Ａ階層データとＢ階層データの伝送方式やＳＰ配置により、部分受信帯域データを構成するセグメント単位で周波数デインターリーブを施すか、或いは、部分受信帯域データを構成する全てのセグメントをまたいでデータキャリア単位で周波数デインターリーブを施す。この階層間デインターリーブは、送信側での階層間ＩＬ部３３でのインターリーブの逆変換処理となる。デインターリーブされた部分受信帯域データは、部分受信帯域合成部６５に出力される。
【０１０２】
階層間デインターリーブ部６４は、非部分受信帯域データを構成する全てのセグメントをまたいでデータキャリア単位で周波数デインターリーブを施す。この階層間デインターリーブは、送信側での階層間ＩＬ部３４でのインターリーブの逆変換処理となる。デインターリーブされた非部分受信帯域データは、部分受信帯域合成部６５に出力される。
【０１０３】
部分受信帯域合成部６５は、部分受信帯域データと非部分受信帯域データを合成した後、Ａ階層、Ｂ階層、Ｃ階層の各階層データに分離して、階層内セグメント間デインターリーブ部６６に出力する。
【０１０４】
階層内セグメント間デインターリーブ部６６は、それぞれの階層の周波数デインターリーブを行うセグ（セグメント）間インターリーブ部６６ａ，６６ｂ，６６ｃからなり、各セグ間インターリーブ部は、それぞれの階層データを構成する全てのセグメントにおいて（全てのセグメントをまたいで）キャリア単位で周波数デインターリーブを施す。このセグ間デインターリーブは、送信側での階層内セグメント間インターリーブ部３１でのインターリーブの逆変換処理となる。セグメント間デインターリーブが行われた各階層データは、時間デインターリーブ部４８に出力される。
【０１０５】
時間デインターリーブ部４８は、各階層及び調整帯域の信号（キャリアシンボル）に対し、それぞれ時間デインターリーブ部４８ａ〜４８ｄにおいて、時間方向（すなわち、各キャリアにおいてシンボルの並び順方向）のデインターリーブを行う。この時間デインターリーブは、送信側での時間インターリーブ部１８でのインターリーブの逆変換処理となる。時間デインターリーブを行ったＡ，Ｂ，Ｃ階層のデータ及び調整帯域のデータを、帯域合成部４９に出力する。
【０１０６】
帯域合成部４９は、部分受信帯域、非部分受信帯域、及び、調整帯域に分かれて処理されたデータを合成する。このように、周波数デインターリーブ及び時間デインターリーブが行われる。
【０１０７】
これまで説明したように、本発明の送信装置及び受信装置は、階層毎に伝送方式を設定することができる。伝送方式としてＭＩＳＯ方式のＳＦＢＣ（Space Frequency Block Coding：空間・周波数ブロック符号化）伝送方式を選択した場合、１系のキャリアシンボルに対して、ＳＦＢＣ符号化を行う。次に、様々な条件下で、隣接したキャリアとペアを作るＳＦＢＣの処理について説明する。
【０１０８】
図８〜図１３は、少なくとも１つの階層がＭＩＳＯのＳＦＢＣ伝送方式であるときの、ＳＦＢＣ符号化の際のデータキャリアのペアリングについて説明する図である。
【０１０９】
各図で１つのブロックが１つのセグメントを示しており、番号０から３２までの３３のセグメントが周波数インターリーブされた状態を示している。細かいドットの描かれたブロック５個は、Ａ階層のセグメントを示しており、他の２８個のブロックがＢ階層のセグメントを示している。
【０１１０】
ＳＦＢＣ符号化では、次の規則に従ってペアリングを行う。
（１）帯域の左端（低周波数側）から、ペアを組む。
（２）ＳＦＢＣのセグメント同士であれば、調整帯域も含めて、セグメントをまたいでペアを組む。
（３）部分受信帯域と非部分受信帯域の境界では、Ａ階層とＢ階層をまたいでペアは組まない。
（４）ＳＦＢＣではない隣のセグメントとは、境界をまたいでペアは組まない。
（５）境界の隣接部分でペアが組めなくなった余りのキャリアについては、ＳＦＢＣ符号化しない。
以下、各事例に基づいて、ペアリングを説明する。
【０１１１】
（部分受信オン、Ａ階層ＳＦＢＣ）
図８は、部分受信を行う場合で、Ａ階層がＳＦＢＣのケースである。図８（ａ）は、Ａ階層がＳＦＢＣでＳＰ配置が（６，２）であり、Ｂ階層がＳＤＭでＳＰ配置が（６，２）である場合のペアリングを示す。このセグメント構造は３３個のセグメントの両側に調整帯域を有する互換モードである。
【０１１２】
なお、ＳＰ配置を示す括弧内の数字は、左側の数字（ここでは６）はＳＰ信号を配置するキャリアの横方向（周波数方向）の間隔、右側の数字（ここでは２）は縦方向（時間方向）に隣接するＳＰ信号の間隔であり、（６，２）はシンボル１２個に１個の割合でＳＰ信号が挿入されることを意味している。
【０１１３】
Ａ階層のセグメント８，４，０，３，５において、キャリアのペアリングが行われる。このＳＰ配置の場合、１セグメント内のデータキャリア数が偶数となるため、ＳＦＢＣの各セグメント（セグメント８，４，０，３，５）内でペアリングが完結する。
【０１１４】
図８（ｂ）は、Ａ階層がＳＦＢＣでＳＰ配置が（６，４）であり、Ｂ階層がＳＤＭでＳＰ配置が（６，４）である場合のペアリングを示す。このセグメント構造は３３個のセグメントの両側に調整帯域を有する互換モードである。
【０１１５】
Ａ階層のセグメント８，４，０，３，５において、キャリアのペアリングが行われる。このＳＰ配置の場合、１セグメント内のデータキャリア数が奇数となるため、ＳＦＢＣのセグメント８，４，０内は、セグメント端に、ペアリングできない（ＳＦＢＣ符号化しない）キャリアが存在する（ペアリングできないキャリアの存在を上向き矢印Ｃで示す。以下同様）。セグメント３と５は、共にＳＦＢＣのセグメントであるから、セグメント境界をまたいでペアリングを行う（境界をまたぐペアリングの位置を、境界上に下向きの矢印で示す。以下同様）。この結果、セグメント３，５は、データキャリア数が奇数であっても、全てのキャリアをペアリングしてＳＦＢＣ符号化でき、耐雑音性の効果が高まる。
【０１１６】
（部分受信オン、Ｂ階層ＳＦＢＣ）
図９は、部分受信を行う場合で、Ｂ階層がＳＦＢＣのケースである。図９（ａ）は、Ａ階層がＳＤＭでＳＰ配置が（６，２）であり、Ｂ階層がＳＦＢＣでＳＰ配置が（６，２）である場合のペアリングを示す。このセグメント構造は３３個のセグメントの両側に調整帯域を有する互換モードである。
【０１１７】
Ｂ階層のセグメント１，２，６，７，９〜３２、及び調整帯域において、キャリアのペアリングが行われる。このＳＰ配置の場合、データキャリア数が偶数となるため、ＳＦＢＣの各セグメント及び調整帯域内でペアリングが完結する。
【０１１８】
図９（ｂ）は、Ａ階層がＳＤＭでＳＰ配置が（６，４）であり、Ｂ階層がＳＦＢＣでＳＰ配置が（６，４）である場合のペアリングを示す。このセグメント構造は３３個のセグメントの両側に調整帯域を有する互換モードである。
【０１１９】
Ｂ階層のセグメント１，２，６，７，９〜３２、及び調整帯域において、キャリアのペアリングが行われる。このＳＰ配置の場合、データキャリア数が奇数となるが、隣接するセグメントが共にＳＦＢＣのセグメントであるときは、セグメント境界をまたいでペアリングを行う。セグメント７と９の境界は部分受信帯域端となるが、Ｂ階層の受信の際は、部分受信帯域と非部分受信帯域の両者を受信するため、部分受信帯域端をまたいでペアリングをすることができる。この結果、セグメント７，９，１１〜３２、及び調整帯域は、データキャリア数が奇数であっても、全てのキャリアをペアリングしてＳＦＢＣ符号化でき、耐雑音性の効果が高まる。ＳＦＢＣのセグメント１０，６，２，１内は、セグメント端に、ペアリングできない（ＳＦＢＣ符号化しない）キャリアが生じる。
【０１２０】
図９（ｃ）は、Ａ階層がＳＤＭでＳＰ配置が（６，４）であり、Ｂ階層がＳＦＢＣでＳＰ配置が（６，４）である場合のペアリングを示す。このセグメント構造は３３個のセグメントからなるノーマルモードである。
【０１２１】
Ｂ階層のセグメント１，２，６，７，９〜３２、及び調整帯域において、キャリアのペアリングが行われる。このＳＰ配置の場合、データキャリア数が奇数となるが、隣接するセグメントが共にＳＦＢＣのセグメントであるときは、セグメント境界をまたいでペアリングを行う。セグメント７と９の境界は部分受信帯域端となるが、Ｂ階層の受信の際は、部分受信帯域と非部分受信帯域の両者を受信するため、部分受信帯域端をまたいでペアリングをすることができる。この結果、セグメント７，９，１０〜３０，３２は、データキャリア数が奇数であっても、全てのキャリアをペアリングしてＳＦＢＣ符号化でき、耐雑音性の効果が高まる。ＳＦＢＣのセグメント６，２，１，３１内は、セグメント端に、ペアリングできない（ＳＦＢＣ符号化しない）キャリアが生じる。
【０１２２】
（部分受信オン、Ａ階層ＳＦＢＣ、Ｂ階層ＳＦＢＣ）
図１０は、部分受信を行う場合で、Ａ階層とＢ階層が共にＳＦＢＣのケースである。図１０（ａ）は、Ａ階層がＳＦＢＣでＳＰ配置が（６，２）であり、Ｂ階層がＳＦＢＣでＳＰ配置が（６，２）である場合のペアリングを示す。このセグメント構造は３３個のセグメントの両側に調整帯域を有する互換モードである。Ａ階層とＢ階層の伝送方式が同一で、且つＳＰ配置が同じであるから、部分受信帯域はキャリア単位で階層間インターリーブが行われており、Ａ階層とＢ階層のデータはセグメントとして独立していない。
【０１２３】
ＳＦＢＣのセグメント０〜３２、及び調整帯域において、キャリアのペアリングが行われる。このＳＰ配置の場合、データキャリア数が偶数となるため、ＳＦＢＣの各セグメント及び調整帯域内でペアリングが完結する。
【０１２４】
図１０（ｂ）は、Ａ階層がＳＦＢＣでＳＰ配置が（６，４）であり、Ｂ階層がＳＦＢＣでＳＰ配置が（６，４）である場合のペアリングを示す。このセグメント構造は３３個のセグメントの両側に調整帯域を有する互換モードである。部分受信帯域はキャリア単位で階層間インターリーブが行われている。
【０１２５】
ＳＦＢＣのセグメント０〜３２、及び調整帯域において、キャリアのペアリングが行われる。このＳＰ配置の場合、データキャリア数が奇数となるが、隣接するセグメントが共にＳＦＢＣのセグメントであるときは、セグメント境界をまたいでペアリングを行う。ただし、セグメント１０と８の境界及び７と９の境界は部分受信帯域端となり、セグメント７と８がＡ階層のデータを含んでいる。Ａ階層の受信の際は、部分受信帯域のみを受信するため、部分受信帯域端をまたいでペアリングをすることができない。このため、部分受信帯域端にペアリングできない（ＳＦＢＣ符号化できない）キャリアが生じる。一方、他のセグメント０〜６，８，９，１１〜３２は、データキャリア数が奇数であっても、全てのキャリアをペアリングしてＳＦＢＣ符号化でき、耐雑音性の効果が高まる。なお、帯域端（調整帯域端）にペアリングできないキャリアが生じる。
【０１２６】
図１０（ｃ）は、Ａ階層がＳＦＢＣでＳＰ配置が（６，４）であり、Ｂ階層がＳＦＢＣでＳＰ配置が（６，４）である場合のペアリングを示す。このセグメント構造は３３個のセグメントからなるノーマルモードである。
【０１２７】
ＳＦＢＣのセグメント０〜３２において、キャリアのペアリングが行われる。このＳＰ配置の場合、データキャリア数が奇数となるが、隣接するセグメントが共にＳＦＢＣのセグメントであるときは、セグメント境界をまたいでペアリングを行う。セグメント７と９の境界は部分受信帯域端となり、セグメント７がＡ階層のデータを含んでいる。Ａ階層の受信の際は、部分受信帯域のみを受信するため、部分受信帯域端をまたいでペアリングをすることができない。このため、部分受信帯域端にペアリングできない（ＳＦＢＣ符号化できない）キャリアが生じる。一方、他のセグメント０〜６，８〜３２は、データキャリア数が奇数であっても、全てのキャリアをペアリングしてＳＦＢＣ符号化でき、耐雑音性の効果が高まる。
【０１２８】
（部分受信オフ、Ａ階層ＳＦＢＣ）
図１１は、部分受信を行わない場合で、Ａ階層がＳＦＢＣのケースである。図１１（ａ）は、Ａ階層がＳＦＢＣでＳＰ配置が（６，２）であり、Ｂ階層がＳＤＭでＳＰ配置が（６，２）である場合のペアリングを示す。このセグメント構造は３３個のセグメントの両側に調整帯域を有する互換モードである。
【０１２９】
Ａ階層のセグメント１０，１１，２０，２３，３２において、キャリアのペアリングが行われる。このＳＰ配置の場合、データキャリア数が偶数となるため、ＳＦＢＣの各セグメント（セグメント１０，１１，２０，２３，３２）内でペアリングが完結する。
【０１３０】
図１１（ｂ）は、Ａ階層がＳＦＢＣでＳＰ配置が（６，４）であり、Ｂ階層がＳＤＭでＳＰ配置が（６，４）である場合のペアリングを示す。このセグメント構造は３３個のセグメントの両側に調整帯域を有する互換モードである。
【０１３１】
Ａ階層のセグメント１０，１１，２０，２３，３２において、キャリアのペアリングが行われる。このＳＰ配置の場合、データキャリア数が奇数となるため、Ａ階層のセグメント１０，１１，２０，２３，３２内は、セグメント端に、ペアリングできない（ＳＦＢＣ符号化しない）キャリアが存在する。
【０１３２】
図１１（ｃ）は、Ａ階層がＳＦＢＣでＳＰ配置が（６，４）であり、Ｂ階層がＳＤＭでＳＰ配置が（６，４）である場合のペアリングを示す。このセグメント構造は３３個のセグメントからなるノーマルモードである。
【０１３３】
Ａ階層のセグメント１０，１１，２０，２３，３２において、キャリアのペアリングが行われる。このＳＰ配置の場合、データキャリア数が奇数となるため、Ａ階層のセグメント１０，１１，２０，２３，３２内は、セグメント端に、ペアリングできない（ＳＦＢＣ符号化しない）キャリアが存在する。
【０１３４】
（部分受信オフ、Ｂ階層ＳＦＢＣ）
図１２は、部分受信を行わない場合で、Ｂ階層がＳＦＢＣのケースである。図１２（ａ）は、Ａ階層がＳＤＭでＳＰ配置が（６，２）であり、Ｂ階層がＳＦＢＣでＳＰ配置が（６，２）である場合のペアリングを示す。このセグメント構造は３３個のセグメントの両側に調整帯域を有する互換モードである。
【０１３５】
Ｂ階層のセグメント０〜９，１２〜１９，２１，２２，２４〜３１、及び調整帯域において、キャリアのペアリングが行われる。このＳＰ配置の場合、データキャリア数が偶数となるため、ＳＦＢＣの各セグメント及び調整帯域内でペアリングが完結する。
【０１３６】
図１２（ｂ）は、Ａ階層がＳＤＭでＳＰ配置が（６，４）であり、Ｂ階層がＳＦＢＣでＳＰ配置が（６，４）である場合のペアリングを示す。このセグメント構造は３３個のセグメントの両側に調整帯域を有する互換モードである。
【０１３７】
Ｂ階層のセグメント０〜９，１２〜１９，２１，２２，２４〜３１、及び調整帯域において、キャリアのペアリングが行われる。このＳＰ配置の場合、データキャリア数が奇数となるが、隣接するセグメントが共にＳＦＢＣのセグメントであるときは、セグメント境界をまたいでペアリングを行う。この結果、セグメント０〜９，１２〜１９，２４〜３１は、データキャリア数が奇数であっても、全てのキャリアをペアリングしてＳＦＢＣ符号化でき、耐雑音性の効果が高まる。ＳＦＢＣのセグメント２１，２２、及び調整帯域内の端部に、ペアリングできない（ＳＦＢＣ符号化しない）キャリアが生じる。
【０１３８】
図１２（ｃ）は、Ａ階層がＳＤＭでＳＰ配置が（６，４）であり、Ｂ階層がＳＦＢＣでＳＰ配置が（６，４）である場合のペアリングを示す。このセグメント構造は３３個のセグメントからなるノーマルモードである。
【０１３９】
Ｂ階層のセグメント０〜９，１２〜１９，２１，２２，２４〜３１において、キャリアのペアリングが行われる。このＳＰ配置の場合、データキャリア数が奇数となるが、隣接するセグメントが共にＳＦＢＣのセグメントであるときは、セグメント境界をまたいでペアリングを行う。この結果、セグメント０〜９，１２〜１９，２４〜３１は、データキャリア数が奇数であっても、全てのキャリアをペアリングしてＳＦＢＣ符号化でき、耐雑音性の効果が高まる。ＳＦＢＣのセグメント２１，２２のセグメント端に、ペアリングできない（ＳＦＢＣ符号化しない）キャリアが生じる。
【０１４０】
（部分受信オフ、Ａ階層ＳＦＢＣ、Ｂ階層ＳＦＢＣ）
図１３は、部分受信を行わない場合で、Ａ階層とＢ階層が共にＳＦＢＣのケースである。図１３（ａ）は、Ａ階層がＳＦＢＣでＳＰ配置が（６，２）であり、Ｂ階層がＳＦＢＣでＳＰ配置が（６，２）である場合のペアリングを示す。このセグメント構造は３３個のセグメントの両側に調整帯域を有する互換モードである。部分受信を行わないから、部分受信帯域と非部分受信帯域の境界はなく、Ａ階層とＢ階層の伝送方式が同一で、且つＳＰ配置が同じであるから、全伝送帯域はキャリア単位で階層間インターリーブが行われており、Ａ階層とＢ階層のデータはセグメントとして独立していない。
【０１４１】
ＳＦＢＣのセグメント０〜３２、及び調整帯域において、キャリアのペアリングが行われる。このＳＰ配置の場合、データキャリア数が偶数となるため、ＳＦＢＣの各セグメント及び調整帯域内でペアリングが完結する。
【０１４２】
図１３（ｂ）は、Ａ階層がＳＦＢＣでＳＰ配置が（６，４）であり、Ｂ階層がＳＦＢＣでＳＰ配置が（６，４）である場合のペアリングを示す。このセグメント構造は３３個のセグメントの両側に調整帯域を有する互換モードである。全伝送帯域はキャリア単位で階層間インターリーブが行われている。
【０１４３】
ＳＦＢＣのセグメント０〜３２、及び調整帯域において、キャリアのペアリングが行われる。このＳＰ配置の場合、データキャリア数が奇数となるが、隣接するセグメントが全てＳＦＢＣのセグメントであるから、セグメント境界をまたいでペアリングを行う。帯域の左端（低周波数側）から順にペアリングを行うことにより、帯域の右端（調整帯域端）にペアリングできないキャリアが生じる以外は、全てのキャリアをペアリングしてＳＦＢＣ符号化でき、耐雑音性の効果が高まる。
【０１４４】
図１３（ｃ）は、Ａ階層がＳＦＢＣでＳＰ配置が（６，４）であり、Ｂ階層がＳＦＢＣでＳＰ配置が（６，４）である場合のペアリングを示す。このセグメント構造は３３個のセグメントからなるノーマルモードである。全伝送帯域はキャリア単位で階層間インターリーブが行われている。
【０１４５】
ＳＦＢＣのセグメント０〜３２において、キャリアのペアリングが行われる。このＳＰ配置の場合、データキャリア数が奇数となるが、隣接するセグメントが全てＳＦＢＣのセグメントであるから、セグメント境界をまたいでペアリングを行う。帯域の左端（低周波数側）から順にペアリングを行うことにより、帯域の右端のセグメント３１にペアリングできないキャリアが生じる以外は、全てのキャリアをペアリングしてＳＦＢＣ符号化でき、耐雑音性の効果が高まる。
【０１４６】
以上のように、本発明における周波数インターリーブとＳＦＢＣのペアリングは、（ａ）周波数インターリーブはなるべくキャリア単位で行って、インターリーブ効果を高める、（ｂ）ＳＦＢＣはなるべく多くのペアを作って、送信ダイバーシティ効果を高める、との２つのニーズのバランスをとるものである。
【０１４７】
上記の実施の形態１では、送信装置１００の構成と動作について説明したが、本発明はこれに限らず、複数の送信系統を用いてＯＦＤＭ変調信号を送信する送信装置１００に搭載される半導体チップであって、送信信号の伝送帯域をセグメント構造とし、階層伝送を行い、階層ごとに空間分割多重ＭＩＭＯ伝送方式又は時空間符号化ＭＩＳＯ伝送方式が選択された、複数のＯＦＤＭ変調信号を生成することを特徴とする、チップとして構成されてもよい。
【０１４８】
また更に、上記の実施の形態１では、送信装置１００の構成と動作について説明したが、本発明はこれに限らず、複数の送信系統によりＯＦＤＭ変調信号を送信する送信方法として構成されてもよい。すなわち、図１のデータの流れに従って、各階層のデータをマッピングしてキャリアシンボルを生成する工程と、各階層のデータを、当該階層の伝送方式が空間分割多重ＭＩＭＯ伝送方式であるとき複数の系統に分離する工程と、各系統において各階層のデータを合成する工程と、各系統のデータを少なくともキャリア周波数方向にインターリーブする工程と、第１の系統から出力された１系キャリアシンボルを時空間符号化する工程と、各階層の伝送方式に基づいて、ＭＩＳＯ符号化部の出力と、第２の系統で信号処理されたデータとを選択し、２系キャリアシンボルを出力する工程と、１系キャリアシンボルに基づいてＯＦＤＭ変調信号を生成する工程と、２系キャリアシンボルに基づいてＯＦＤＭ変調信号を生成する工程と、を備えた、複数の送信系統によりＯＦＤＭ変調信号を送信する送信方法として構成されても良い。
【０１４９】
上記のチップ及び送信方法によれば、ＭＩＭＯ伝送方式又はＭＩＳＯ伝送方式により、階層伝送を実現し、階層毎に適切な伝送品質を確保することができる。
【０１５０】
また、上記の実施の形態２では、受信装置２００の構成と動作について説明したが、本発明はこれに限らず、複数の送信系統を用いて送信されたＯＦＤＭ変調信号を受信する受信装置２００に搭載される半導体チップであって、伝送帯域がセグメント構造であって、階層伝送されたＯＦＤＭ変調信号に対して、階層ごとに空間分割多重ＭＩＭＯ伝送方式の復号処理又は時空間符号化ＭＩＳＯ伝送方式の復号処理を選択することを特徴とする、チップとして構成されてもよい。
【０１５１】
また更に、上記の実施の形態２では、受信装置２００の構成と動作について説明したが、本発明はこれに限らず、複数の送信系統を用いて送信されたＯＦＤＭ変調信号を受信する受信方法として構成されてもよい。すなわち、図６のデータの流れに従って、伝送帯域がセグメント構造のＯＦＤＭ変調信号を受信する工程と、受信したＯＦＤＭ変調信号をＦＦＴ処理する工程と、ＦＦＴ処理された信号に対して、階層ごとに空間分割多重ＭＩＭＯ伝送方式の復号処理又は時空間符号化ＭＩＳＯ伝送方式の復号処理を行う工程と、復号処理で得られたキャリアシンボルを、少なくともキャリア周波数方向にデインターリーブする工程と、各階層のデータを分離する工程と、当該階層の伝送方式が空間分割多重ＭＩＭＯ伝送方式であるとき複数の系統のデータを合成する工程と、系統合成されたキャリアシンボルをデマッピングして各階層のデータを生成する工程とを備えることを特徴とする、複数の送信系統を用いて送信されたＯＦＤＭ変調信号を受信する受信方法として構成されても良い。
【０１５２】
上記のチップ及び受信方法によれば、ＭＩＭＯ伝送方式又はＭＩＳＯ伝送方式により、階層伝送を実現し、階層毎に適切な伝送品質を確保することができる。
【０１５３】
上述の実施形態は代表的な例として説明したが、本発明の趣旨及び範囲内で、多くの変更及び置換ができることは当業者に明らかである。したがって、本発明は、上述の実施形態によって制限するものと解するべきではなく、特許請求の範囲から逸脱することなく、種々の変形や変更が可能である。例えば、実施形態に記載の複数の構成ブロックを１つに組み合わせたり、あるいは１つの構成ブロックを分割したりすることが可能である。
【符号の説明】
【０１５４】
１０    入力Ｉ／Ｆ
１１    ビットＩＬ部
１２    フレームヘッダ生成部
１３    マッピング部
１４    レベル調整部
１５    系統分離部
１６    階層合成部
１７    帯域分割部
１８    時間ＩＬ部
１９    周波数ＩＬ部
２０    帯域合成部
２１    ＭＩＳＯ符号化部
２２    ＴＭＣＣ情報ビット生成部
２３    同期ビット生成部
２４    ＴＭＣＣ生成部
２５    パイロット生成部
２６    ＯＦＤＭフレーム構成部
２７    ＩＦＦＴ部
２８    ＧＩ付加部
２９    直交変調部
３０    ＤＡＣ部
３１    階層内セグメント間インターリーブ部
３２    部分受信帯域分離部
３３    階層間ＩＬ部
３４    階層間ＩＬ部
３５    セグ内ＩＬ部
３６    セグ内ＩＬ部
４１    ＡＤＣ部
４２    直交復調部
４３    ＧＩ除去部
４４    ＦＦＴ部
４５    等化・復号部
４６    帯域分離部
４７    周波数デインターリーブ部
４８    時間デインターリーブ部
４９    帯域合成部
５０    階層分離部
５１    系統合成部
５２    レベル調整部
５３    デマッピング部
５４    ビットデインターリーブ部
６１    セグ内デインターリーブ部
６２    セグ内デインターリーブ部
６３    階層間デインターリーブ部
６４    階層間デインターリーブ部
６５    部分受信帯域合成部
６６    階層内セグメント間デインターリーブ部
１００  送信装置
２００  受信装置
３３１  階層間セグメント単位インターリーブ部
３３２  階層間キャリア単位インターリーブ部
【図１】
2018198426.tif 000003
【図２】
2018198426.tif 000004
【図３】
2018198426.tif 000005
【図４】
2018198426.tif 000006
【図５】
2018198426.tif 000007
【図６】
2018198426.tif 000008
【図７】
2018198426.tif 000009
【図８】
2018198426.tif 000010
【図９】
2018198426.tif 000011
【図１０】
2018198426.tif 000012
【図１１】
2018198426.tif 000013
【図１２】
2018198426.tif 000014
【図１３】
2018198426.tif 000015
【図１４】
2018198426.tif 000016